(57)【要約】【課題】  施工作業が簡単で安全な棚照明装置を提供する。【解決手段】  導電性の支持部１０１及びこの支持部１０１に支持される導電性のアーム１０６が電源供給路の一部を形成し、前記支持部及び前記アームを絶縁層１０１ｈ，１０６ｈで被覆し、前記アームを前記支持部に取り付ける孔，溝又は切欠き１０１ａの内周縁の少なくとも一部及び前記内周縁で前記支持部に係合する前記アームの係合部の少なくとも一部から前記絶縁層を除去して、前記内周縁と前記アームとが互いに電気的に接続する接触部１０１ｂ，１０６ｂを形成した。【選択図】  図２
2014166201.tif 000002
【特許請求の範囲】
【請求項１】
棚板を受けるアームと、このアームの一端の係合部を差し込むための差し込み孔又は溝が形成された支持部と、前記棚板と一体又は別体に形成され、前記アームと接触する電極部を備えた照明手段と、前記電極を介して前記照明手段に電源を供給する電源供給手段と、前記支持部及び前記アームに形成され、前記電源供給部と前記電極とを電気的に接続する電源供給路とを有する棚照明装置であって、
導電性を有する前記支持部及び前記アームが前記電源供給路の一部を形成し、前記支持部及び前記アームを絶縁層で被覆し、前記差し込み孔又は溝の内周縁の少なくとも一部及び前記内周縁で前記支持部に係合する前記アームの係合部の少なくとも一部から前記絶縁層を除去して、前記内周縁と前記アームとが互いに電気的に接続する接触部を形成したこと、
を特徴とする棚照明装置。
【請求項２】
前記係合部の、前記アームに作用する力によって前記内周縁に押し付けられる部分に、前記接触部を形成したことを特徴とする請求項１に記載の棚照明装置。
【請求項３】
前記支持部に孔又は溝を形成し、絶縁性の嵌合部材を前記孔又は溝に嵌め込み、この嵌合部材に締結部材を挿通させて壁面等の固定部に締結することで、前記支持部を前記固定部に固定したことを特徴とする請求項１又は２に記載の棚照明装置。
【請求項４】
前記照明手段の一端を差し込む孔が形成されたソケット部材を有し、このソケット部材は前記アームに電気的に接続した状態で取り付けられることを特徴とする請求項１〜３のいずれかに記載の棚照明装置。
【請求項５】
導電性を有する前記ソケットが前記電源供給路の一部を形成し、前記ソケットを絶縁層で被覆し、前記孔の底部の少なくとも一部の前記絶縁層を除去し、前記絶縁層を除去した部分で前記ソケットを導電性の締結手段により前記アームに固定したことを特徴とする請求項３に記載の棚照明装置。
【請求項６】
前記ソケットには、交叉する二方向に前記孔を形成したことを特徴とする請求項４又は５に記載の棚照明装置。
【請求項７】
前記アームの一側及び前記他側に前記ソケットを着脱自在に取り付けることができるように構成したことを特徴とする請求項４〜６のいずれかに記載の棚照明装置。
【請求項８】
前記アーム間に架設されるチャンネル部材を絶縁層で被覆し、前記チャンネル部材に照明手段及び透光板を保持させ、前記チャンネル部材の電極と前記アームとが電気的に接続するように前記チャンネル部材を前記アームに取り付けたことを特徴とする請求項１〜７のいずれかに記載の棚照明装置。
【発明の詳細な説明】
【技術分野】
【０００１】
本発明は、物品を収納・陳列等する棚のための棚照明装置に関する。
【０００２】
従来、例えば陳列棚の照明装置としては特許文献１に、棚柱と棚受け金物に直接電気を流して照明する技術が開示されている。また、特許文献２に、テープ状LED基板を陳列棚の照明器具として用いた技術が開示されている。
【先行技術文献】
【特許文献】
【０００３】
【特許文献１】特開２００４−３４４５０７号公報
【特許文献２】特開２０１０−１７０９７０号公報
【特許文献３】特開２０１２−０４０３３４号公報
【発明の概要】
【発明が解決しようとする課題】
【０００４】
しかしながら、特許文献１に記載の技術によれば、陳列棚の棚柱と爪の付いた絶縁された棚受け金物に、１２Vを主とする低い電圧の電気を直接流し、スポットライトのような照明器具を使用する構成であるため、棚全体を明るく照らすことができないという問題点がある。
また、前記スポットライトに変えて例えば低電圧で駆動する蛍光灯のような照明器具で棚全体を照明する方法が考えられるが、照明器具自体が大きく、せっかくの陳列範囲を狭めてしまうという問題点がある。特に、オープン形式の陳列棚の他にガラスショーケースのような美観を重要視する陳列棚には不向きである。
【０００５】
特許文献２に記載の技術によれば、複数のＬＥＤを直線的に配設されたテープ状の基板を装着したアルミ形材からなる器具本体と該器具本体の全幅を覆う透明樹脂カバーを備えたショーケース及びディスプレイ棚等の棚下に設置される棚下照明器具に於いて、器具本体のＬＥＤ基板装着面がへの字型に形成されると共に該透明樹脂カバーが扁平の略Ｕ字型である照明器具が開示されているが、この照明器具は一定の長さに設定されてしまうため、陳列棚の幅寸法に合わせた適切な長さに設定することができないという問題点がある。
【０００６】
本件出願人による特許文献３に記載の照明装置は、前記棚板と一体的に照明体を構成することによって前記特許文献１の問題点を改善しており、新規に製作する陳列棚では全く問題がないが、既に設置済みの陳列棚に適用しようとする場合、既存の棚は棚板の幅や棚柱の間隔が棚によって異なり、棚受金具の形状がマチマチなためにこれらに対応するための施工作業が極めて煩雑になるという問題点がある。
【０００７】
さらに、特許文献１に記載の技術によれば、陳列棚の棚柱と爪の付いた棚受け金物に、１２Vを主とする低い電圧の電気を直接流す構成であるため、１２Vを主とする低い電源であっても人によって敏感に電気を感ずることによりショックを与えたり、また例えば心臓ペースメーカーを付けている人が１２Vに触れるとペースメーカーの動作が狂うなどの事故もあり、棚受金具に直接電気を流す場合に感電から人体を守るため導電部分に絶縁処置をする必要がある。
また、店舗で陳列棚を使用する場合、設置済みの陳列棚は移動しないので導電部分に人が直接触れる機会が稀であるが、店舗のレイアウト改善など棚の移動は頻繁に行われ、不特定の人々が通電したまま棚の移動を行うことも多々あるため、棚のどの部分に触れても感電を防ぎ安全を確保する必要がある。
【０００８】
本発明は上記の問題を解決するためになされたもので、展示会や店舗レイアウトの変更等の際に棚設置及び撤収作業が簡単で、感電等の危険性がなく安全な棚照明装置の提供を目的とする。
【課題を解決するための手段】
【０００９】
上記目的を達成するため、本発明は、棚板を受けるアームと、このアームの一端の係合部を差し込むための差し込み孔又は溝が形成された支持部と、前記棚板と一体又は別体に形成され、前記アームと接触する電極部を備えた照明手段と、前記電極を介して前記照明手段に電源を供給する電源供給手段と、前記支持部及び前記アームに形成され、前記電源供給部と前記電極とを電気的に接続する電源供給路とを有する棚照明装置であって、導電性を有する前記支持部及び前記アームが前記電源供給路の一部を形成し、前記支持部及び前記アームを絶縁層で被覆し、前記差し込み孔又は溝の内周縁の少なくとも一部及び前記内周縁で前記支持部に係合する前記アームの係合部の少なくとも一部から前記絶縁層を除去して、前記内周縁と前記アームとが互いに電気的に接続する接触部を形成した構成としてある。
【００１０】
前記係合部の、前記アームに作用する力によって前記内周縁に押し付けられる部分に、前記接触部を形成してもよく、前記支持部に孔又は溝を形成し、絶縁性の嵌合部材を前記孔又は溝に嵌め込み、この嵌合部材に締結部材を挿通させて壁面等の固定部に締結することで、前記支持部を前記固定部に固定してもよい。
また、前記照明手段の一端を差し込む孔が形成されたソケット部材を有し、このソケット部材は前記アームに電気的に接続した状態で取り付けられるようにしてもよい。
さらに、導電性を有する前記ソケットが前記電源供給路の一部を形成し、前記ソケットを絶縁層で被覆し、前記孔の底部の少なくとも一部の前記絶縁層を除去し、前記絶縁層を除去した部分で前記ソケットを導電性の締結手段により前記アームに固定してもよい。前記ソケットには、交叉する二方向に前記孔を形成してもよい。
【００１１】
また、前記アームの一側及び前記他側に前記ソケットを着脱自在に取り付けることができるようにてもよく、前記アーム間に架設されるチャンネル部材を絶縁層で被覆し、前記チャンネル部材に照明手段及び透光板を保持させ、前記チャンネル部材の電極と前記アームとが電気的に接続するように前記チャンネル部材を前記アームに取り付けてもよい。
【発明を実施するための最良の形態】
【００１２】
以下、本発明の好適な実施形態について図面を参照しつつ詳細に説明する。
図１は、本発明の棚照明装置の基本的な構成を説明する概略図である。この棚照明装置は、本願出願人による特願２０１０−１９９３３９号（特開２０１２−０４０３３４号公報）に記載されているものと同じである。
この実施形態の棚照明装置１は、壁面１００等の固定部に埋設又は取り付けることで固定される支持部としての一対の棚柱１０１と、この棚柱１０１のそれぞれに支持されて水平方向に伸びるアーム１０６と、このアーム１０６に載置又は保持される棚板１０８と、アーム１０６又は棚板１０８に取り付けられる照明器具１０９と、照明器具１０９に電源を供給する電源供給部１０５とを有している。
【００１３】
［棚柱］
棚柱１０１は、断面コの字状のアングルの底面に複数の孔１０１ａを形成したもので、ボルト１２１によって壁面１００等の固定部に固定される。棚柱１０１は、導電性に優れるアルミ等の金属で形成されているが、図２（ｂ）に示すように、その表面の全体には絶縁被膜層１０１ｈが形成されている。絶縁被膜層１０１ｈは、絶縁塗料の焼き付け塗装が好適である。また、孔１０１ａの内側周縁１０１ｂは、図２（ｂ）（ｃ）に示すように、絶縁被膜層１０２ｈの一部を剥離して金属を露出させている。この内側周縁部１０１ｂが、後述するアームと棚柱１０１とを電気的に接続する接触部を形成する。
【００１４】
棚柱１０１を壁面１００に固定する固定手段は、例えば図２に示すように、棚柱１０１の一部を切除して切欠部１０１ｃを形成し、この切欠部１０１ｃに樹脂等の絶縁材で形成された固定ブロック１２０を嵌め込む。そして、この固定ブロック１２０のボルト孔１２０ａにボルト１２１を挿通させ、壁面１００に形成したネジ孔１００ａに螺入する。金属製のボルト１２１と棚柱１０１とは絶縁材の固定ブロック１２０の介在によって接触しないようになっている。
なお、棚柱１０１の断面形状は、コの字形に限られない、円形状、半円状、楕円状、三角状、多角形状など種々のものとすることができる。
【００１５】
［アーム及びその周辺部材］
図３に示すように、アーム１０６の基部には、棚柱１０１の上下二つの孔１０１ａに差し込まれ、孔１０１ａの孔内周縁１０１ｂと係合するフック部１０６ａが上下に二つ形成されている。図４に示すように、アーム１０６は、棚柱１０１の場合と同様にその全体に絶縁被膜層１０６ｈが形成されているが、アーム１０６と棚柱１０１との電気的な導電性を確保するために、フック部１０６ａの溝において絶縁被膜層１０６ｈの一部を剥離している。前記溝の三つの面のうち、アーム１０６の使用時に最も荷重がかかる位置、すなわち、最も大きな力で、絶縁被膜層１０１ｈを剥離した孔内周縁１０１ｂに押し付けられる部分（図４の例では符号１０６ｂで示す部分）で絶縁被膜層１０６ｈを剥離するのが好ましい。
【００１６】
図３（棚板１０８は図示を省略してある）に示すアーム１０６においては、その上縁から水平方向に張り出すフランジ部１０６ｃが形成されていて、このフランジ部１０６ｃにスティック状の照明器具１０９の両端を支持するソケット１０７が取り付けられるようになっている。ソケット１０７は、フランジ部１０６ｃの上面及び下面の両方に取り付けできるようにするとよい。
図３（ｂ）はソケット１０７の構成を説明する図で、ソケット１０７には、照明器具１０９の両端の電極部１１０を差し込むソケット孔１０７ａと、ソケット１０７をフランジ部１０６ｃに取り付けるためのボルト１１１を差し込むボルト孔１０７ｃとが形成されている。
【００１７】
ボルト１１１はボルト孔１０７ｃを挿通してフランジ部１０６ｃの螺旋孔に螺入される。また、ソケット１０７についても、導電性を有するアルミ等の金属で形成するとともに、その全体を絶縁被覆層でコーティングする。
また、ボルト１１１を介してソケット１０７とアーム１０６とが電気的に接続されるように、螺旋孔の内周面の少なくとも一部とボルト孔１０７ｃの底部の少なくとも一部に絶縁被膜層の剥離部（接触部）を設ける。ソケット孔１０７ａの内部についても、電極部１１０と接触するように底部又は底部近傍の一部に絶縁被膜層の剥離部を設ける。電極部１１０が確実にソケット孔１０７ａの前記剥離部に当接するように、押さえのボルト（図３（ｂ）の例では符号１０７ｅで示すボルト）やばね等の弾性部材を設けてもよい。
【００１８】
なお、本発明において照明器具１０９の種類は限定されない。蛍光灯であってもよいし、内部にＬＥＤと点灯回路が配置されたＬＥＤ照明器具であってもよい。また、電極部１１０はばね等の弾発手段によって縮退自在とするのがよく、前記弾発手段に抗する方向に電極部１１０を押して縮退させた状態で、簡単にソケット１０７，１０７のソケット孔１０７ａ，１０７ａに電極部１１０，１１０を差し込むことが可能になる。
また、照明器具１０９を円柱状とし、ライン状の照明光が照射されるようするとともに、電極部１１０，１１０をソケット孔１０７ａ，１０７ａに差し込んだ状態で照明器具１０９をソケット１０７，１０７に対して回転可能とすることで、照明光の照射方向を種々に変化させることが可能である。
【００１９】
［他の実施形態］
図５及び図６は、本発明の他の実施形態にかかる棚照明装置の分解斜視図である。なお、図３及び図４と同一部位、同一部材には同一の符号を付して、先の説明を援用するものとする。
この実施形態では、棚板としてアクリル等の樹脂で形成された透光板１０８′を用いる。透光板１０８′は、表面に反射ドット等を形成して、入射させた光を所定の出射面まで導く導光板として構成されていてもよい。
アーム１０６には、その下縁から水平方向に張り出すフランジ部１０６ｃ′が形成されていて、フランジ１０６ｃと対面している。そして、上下のフランジ部１０６ｃ，１０６ｃ′の間に透光板１０８′が差し込まれて支持されるようになっている。
【００２０】
また、上方のフランジ部１０６ｃの基部側の先端を下方に折り曲げて取付部１０６ｄが形成されている。この取付部１０６ｄには、透光板１０８′の端面から光を入射するための第二の照明器具１３０が取り付けられる。
第二の照明器具１３０は、図５に示すように断面コの字状に筐体１３０ｂを有し、この筐体１３０ｂの内部に蛍光灯やＬＥＤ及び回路基板が収容される。筐体１３０ｂの両側には端部１３０ａが張り出し形成され、この端部１３０ａに形成されたボルト孔を挿通させてボルト１３１を、アーム１０６の取付部１０６ｄの螺旋孔に螺入することで、第二の照明器具１３０がアーム１０６に固定される。
【００２１】
端部１３０ａ及び筐体１３０ｂは絶縁性の樹脂等で形成してもよいし、導電性のある金属で形成して全体に絶縁被膜層を形成するようにしてもよい。蛍光灯やＬＥＤ及び回路基板への電源の供給は、ボルト１３１をとおして行ってもよく、ボルトと前記回路基板とを導線で結ぶ以外に、端部１３０ａ及び筐体１３０ｂの前記絶縁被膜層の一部を剥離して行うようにしてもよい。
【００２２】
第一の照明器具である照明器具１０９は、先の実施形態と同様にソケット１０７を用いて取り付けることができる。ソケット１０７は、上方のフランジ部１０６ｃに取り付けるようにしてもよいし、下方のフランジ部１０６ｃ′に取り付けるようにしてもよい。図中仮想線で示すような断面コの字状の部材１１５を用い、この部材１１５の溝内にソケット１０７を配置して部材１１５をフランジ部１１６ｃ又はフランジ部１１６ｃ′に取り付けるようにしてもよい。
【００２３】
なお、部材１１５の溝内部に蛍光灯やＬＥＤ及び回路基板を配置することで、部材１１５じたいを照明器具として構成することも可能である。この場合のアーム１０６からの電源の供給は、第二の照明器具１３０と同様とすればよい。
また、この実施形態では、透光板１０８′が上下のフランジ部１０６ｃ，１０６ｃ′の間に配置されるので、透光板１０８′の上面側にも照明器具１０９を配置することが可能になる。透光板１０８′の上面側に照明器具１０９を配置した例を図６中仮想線で示す。
【００２４】
図７は、上記した本発明の棚照明装置を備えた棚装置の一例である。この棚装置は、移動自在で収納性に優れ、かつ、本発明の棚照明装置の採用により陳列した商品等のディスプレイ性とアピール性に優れるもので、展示会のような会場への移動と設置、店舗等における商品の配置変更に役立つ。
この棚装置は、基台になる収納箱１５０の上面に、棚柱１０１，１０１を所定の間隔で立設し、棚柱１０１，１０１のそれぞれにアーム１０６を取り付け、アーム１０６に照明器具１０９を取り付け、アーム１０６に棚板１０８を載置したものである。
【００２５】
収納箱１５０はキャスタ１５１を有していて移動自在で、かつ、箱内に棚柱１０１，１０１、照明器具１０９、アーム１０６、棚板１０８及び電源供給部１０５（図１参照）を収容できるようになっている。
棚柱１０１，１０１及び棚板１０８については、長尺になる場合には分割して収容するようにしてもよい。
従って、展示会等の会場までキャスタ付きの収納箱１５０を押して行き、所望の場所で即座に棚装置を組み立てることが可能で、撤収も容易かつ迅速である。
【００２６】
以上、本発明の実施の形態を説明してきたが、本発明はこれに限定されるものではなく、本発明の要旨を変更しない限り、様々な態様で実施し得るものである。
例えば、上記の説明で「溝」や「孔」と記載した部材又は部位については、「孔」や「溝」「切欠き」等他のものであってもよく、また、上記した各部材の形状は、適用可能な範囲内で種々に変更することが可能である。
さらに、本発明に支持部は棚柱１０１に限られず、アームを取り付けることができるものであれば、他のものでもよい。例えば、壁面や天井、床、パネル、その他柱等にアーム取付用の孔（図１の符号１０１ａに相当する孔）を形成して「支持部」としてもよい。この場合、壁面等の固定部が「導電性」を有している必要はなく、例えば、木製の壁又はパネルの裏面に導電性を有する金属材を取り付ける等すればよい。
【図面の簡単な説明】
【００２７】
【図１】本発明の棚照明装置の基本的な構成を説明する概略図である。
【図２】棚照明装置の主要部の構成を説明する分解斜視図である。
【図３】棚照明装置の主要部の構成を説明する分解斜視図である。
【図４】アームの基部の拡大側面図である。
【図５】他の実施形態にかかる棚照明装置の主要部の構成を説明する分解斜視図である。
【図６】アームの拡大側面図である。
【図７】棚装置の一例を示す正面図である。
【符号の説明】
【００２８】
１００      壁面（固定部）
１００ａ    ねじ孔
１０１      棚柱（支持部）
１０１ａ    孔
１０１ｂ    孔内周縁
１０６      アーム
１０７      ソケット
１０８      棚板
１０８′    透光板（棚板）
１０９      照明器具
１１０      電極部
１１１      ボルト
【図１】
2014166201.tif 000003
【図２】
2014166201.tif 000004
【図３】
2014166201.tif 000005
【図４】
2014166201.tif 000006
【図５】
2014166201.tif 000007
【図６】
2014166201.tif 000008
【図７】
2014166201.tif 000009